(57)【要約】【課題】  多用途に使用でき、しかもカードの出し入れがスムーズで、且つ収容物の落下のおそれがないカードケースを実現する。【解決手段】  ケース上面部材１０、中子部材２０、ケース下面部材３０をヒンジＨにより擺動して開閉自在とすることにより、閉止時にケース上面部材と中子部材間と、中子部材とケース下面部材間にそれぞれカードや貨幣の収納空間を構成すると共に、カード進入窓Ｗを有したスリット状のカード保持部１５、１６を有し、上記カード進入窓の前後の縁を表面から縁端に向かってなだらかに下降して傾斜するスロープ１３Ａ、１４Ａに構成したカードホルダー部をケース上面部材の表面に配する。【選択図】    図１
2005219752.tif 000002
【特許請求の範囲】
【請求項１】
剛性部材により構成される筐体状のカードケースにして、ケース上面部材、中子部材、ケース下面部材をヒンジにより擺動して開閉自在とすることにより、閉止時にケース上面部材と中子部材間と、中子部材とケース下面部材間にそれぞれカードや貨幣の収納空間を構成すると共に、ケース上面部材の表面に下記(A) の構成よりなるカードホルダー部を設けたことを特徴とするカードケース。
(A) カードが進退可能にして一端を開口したスリット状のカード保持部の天井面をカードの全幅以上の幅にして、カードの全長より短い範囲で切り欠くことによりカード進入窓とする共に、上記カード進入窓の前後の縁を表面から縁端に向かってなだらかに下降して傾斜するスロープ状に構成したカードホルダー部。
【請求項２】
中子部材の表面に中子部材表面との間にカードや貨幣を挟持するためのクリップ片を配した請求項１記載のカードケース。
【請求項３】
中子部材の表面に側方に長溝を設けた複数本の突条を設ける共に、隣り合う突条の長溝同士の間隔を平置き状態の硬貨を挟持可能な寸法に設定した請求項１記載のカードケース。
【請求項４】
上面部材のヒンジと対向する側の側端から閉止時に裏面が下面部材の側端に達して当接する舌片状の垂下片を垂下し、上記垂下片の裏面とそれが当接する下面部材の側端に両者の係止手段を設ける共に、閉止時に上面部材と下面部材のヒンジと対向する側の側端の間から突出する突出片を中子部材の側端に突設した請求項１から３の何れかに記載のカードケース。
【発明の詳細な説明】
【技術分野】
【０００１】
この発明は、各種のカード類、名刺、それに貨幣を収容するためのカードケースに関する。
【背景技術】
【０００２】
例えば、各種のプリペイドカードやクレジットカード、それに定期券等を収容するためのプラスチック等の剛性部材により構成される筐体状のカードケースが公知である。この種のカードケースは従来の皮革やビニール製のサック状のものが平面的であったの対し、プラスチックを一体成形することにより立体的な筐体状に構成されるものであり、内部に多数のカード類を収容できることを特徴とする。この場合、カード類を区分けして収容できるように、ケース上面部材、中子部材、ケース下面部材をヒンジにより擺動して開閉自在とすることにより、閉止時にケース上面部材と中子部材間と、中子部材とケース下面部材間にそれぞれカードや貨幣の収納空間を構成するカードケースが特許文献１により公知である。
【０００３】
一方、自動改札機用の磁気カード式の定期券をワンタッチで取り出し、収容できるように、カードが進退可能なスリット状のカード保持部の天井面をカードの全幅以上の幅にして、カードの全長より短い範囲で切り欠くことによりカード進入窓としたカードホルダーが特許文献２により公知である。上記カードホルダーにおいては、カードの収容に当たっては上記カード進入窓よりカードをカード保持部内に滑り込ませ、カードの取り出しに当たっては窓から指先でカードの表面をカード保持部から離脱するように押し出して使用している。
【特許文献１】実開平６−７５３１号公報
【特許文献２】実用新案登録第２５１８１８９号公報
【発明の開示】
【発明が解決しようとする課題】
【０００４】
前者のカードケースは中子部材によりケース内を上下に区画できる利点を有するが、ケースを開放した際に上面部材、中子部材、下面部材が一気に分離して開くので収容物が落下するおそれがあった。これは、特に頻繁に出し入れする機会の多い自動改札機用の定期券を収容する場合に問題であった。
【０００５】
又、後者のカードホルダーは、カードの収容に当たっては上記カード進入窓よりカードをカード保持部内に滑り込ませる作業が必ずしも円滑に行えない問題があった。
【課題を解決するための手段】
【０００６】
この発明は以上の従来技術の問題点を解消したカードケースを提供することを目的として創作されたものであり、剛性部材により構成される筐体状のカードケースのケース上面部材、中子部材、ケース下面部材をヒンジにより擺動して開閉自在とすることにより、閉止時にケース上面部材と中子部材間と、中子部材とケース下面部材間にそれぞれカードや貨幣の収納空間を構成すると共に、ケース上面部材の表面に下記(A) の構成よりなるカードホルダー部を設けたことを特徴とする。
(A) カードが進退可能にして一端を開口したスリット状のカード保持部の天井面をカードの全幅以上の幅にして、カードの全長より短い範囲で切り欠くことによりカード進入窓とする共に、上記カード進入窓の前後の縁を表面から縁端に向かってなだらかに下降して傾斜するスロープ状に構成したカードホルダー部。
【０００７】
又、ここでは上記のカードケースにおいて、上面部材のヒンジと対向する側の側端から閉止時に裏面が下面部材の側端に達して当接する舌片状の垂下片を垂下し、上記垂下片の裏面とそれが当接する下面部材の側端に両者の係止手段を設ける共に、閉止時に上面部材と下面部材のヒンジと対向する側の側端の間から突出する突出片を中子部材の側端に突設した発明も第２発明として開示する。
【発明の効果】
【０００８】
以上の構成よりなるこの発明によれば、ケース上面部材の表面にワンタッチでカードを出し入れできるカードホルダーが露出しているので、頻繁に出し入れする機会の多い自動改札機用の定期券をここに収容すれば、一々ケースを開放する必要がなく、収容物が落下するおそれが減少する効果を生じる。
【０００９】
又、カードホルダーのカード進入窓の前後の縁を表面から縁端に向かってなだらかに下降して傾斜するスロープ状としているので、カード進入窓よりカードをカード保持部内に滑り込ませるに際し、カード端がスロープに沿ってカード保持部内に円滑にガイドされて作業が容易になる効果を生じる。
【００１０】
一方、第２発明によれば閉止時に上面部材と下面部材のヒンジと対向する側の側端の間から突出する突出片を中子部材の側端に突設したので、ケースを開くときに上面部材又は下面部材と一緒に中子部材の上記の突出片を摘んで擺動させれば、上面部材又は下面部材が中子部材により被蓋された状態で開くので収容物が不用意に落下するおそれが減少する効果を生じる。
【発明を実施するための最良の形態】
【００１１】
以下、この発明のカードケースの具体的実施例を添付図面に基づいて説明する。図１乃至図１０はこの発明のカードケースの第１実施例を示す図である。図２に示すようにカードケースは閉止時に筐体を構成するようにプラスチック製のケース上面部材１０、中子部材２０、ケース下面部材３０に３分割され、これらはヒンジＨにより短手方向の一端を軸として擺動して開閉自在とされる。その結果、閉止時にケース上面部材１０と中子部材２０間と、中子部材２０とケース下面部材３０間にそれぞれカードや貨幣の収納空間Ｒ１、Ｒ２が生じることとなる。
【００１２】
図中符号１１はヒンジＨと対向する側の上面部材１０の側端から閉止時に裏面が下面部材２０の側端に達して当接するよう垂下される舌片状の垂下片であり、上記垂下片の裏面とそれが当接する下面部材の側端に両者の係止手段が設けられることによりケースは閉止状態でロックされる。ここでは垂下片１１の裏面に係止凹部１２を設け、閉止時に垂下片の裏面が当接する下面部材の側端の部分３２が弾性による附勢力に抗して垂下片を外方へ押し開いた後、上記係止凹部に落ち込むことにより係止手段としている（図７及び図９参照）。
【００１３】
一方、中子部材２０は閉止時にヒンジＨと対向する側の側端から一対の突出片２１、２１を突出させ、閉止時に突出片が上面部材１０と下面部材３０の間から外方に突出するようにしている。ここでは、下面部材３０の周側に配した立ち上がり縁部の一部に切り欠き３１、３１を設けることにより、この切り欠きを貫通して上記の中子部材の突出片２１、２１が外方に突出する構成としている。この場合、上記の切り欠き３１、３１の幅を中子部材の突出片２１、２１の幅より若干狭く構成することにより、ケースの閉止に当たって突出片が切り欠きに圧入されて両者が仮結合されるようにしてもよい。こうすることにより中子部材が下面部材に追従して被蓋するので、収容物が落下することを防止する効果はより確実なものとなる。
【００１４】
以上のカードケースの上面部材１０の表面にはカードＣをワンタッチで出し入れするためのカードホルダーが配される。このカードホルダーはカードＣが進退可能にして一端を開口したスリット状のカード保持部の天井面をカードの全幅以上の幅にして、カードの全長より短い範囲で切り欠くことによりカード進入窓Ｗとした構成よりなる。上記のカードホルダーの構成は特に図１、図５、図６に詳細に表れている。進入窓Ｗの前後には残された天井面１４、１３が位置し、これらの天井面の下方にはカードＣが進退するスリット状のカード保持部１５、１６が位置し、このうちの前方のカード保持部１５は外方に向かって開口される。図１０は上記のカードホルダーの使用法を示す図である。カードＣの収容に当たっては、カード進入窓Ｗよりカードを前後何れかのカード保持部１５又は１６内に滑り込ませた後、後退させることによりカードは前後のカード保持部内に挟持、収容される。又、カードＣの取り出しに当たっては進入窓Ｗから指先でカードの表面を開口を有する前方のカード保持部１５から離脱するように押し出す。
【００１５】
この発明においては、上記カード進入窓Ｗの前後の縁を表面から縁端に向かってなだらかに下降して傾斜するスロープ１４Ａ、１３Ａに構成している。こうすることにより、カード進入窓Ｗよりカードをカード保持部内１５又は１６に滑り込ませるに際し、カード端がスロープ１４Ａ、１３Ａに沿ってカード保持部内に円滑にガイドされる作用を生じる。      
【００１６】
中子部材２０は閉止時にケース上面部材１０との間に収納空間Ｒ１、ケース下面部材３０との間に収納空間Ｒ２を生じさせる他、この実施例においては表面にクリップ片２２を配することにより、中子部材表面との間にカードや貨幣を挟持可能な作用を生じさせている（図２及び図８参照）。
【００１７】
図１１及び図１２はこの発明の第２実施例を示す図である。この実施例においては中子部材の構成が前記の第１実施例と異なるのみで、その余の構成は第１実施例と同じである。この実施例においては、中子部材４０にコインホルダーの機能を持たせており、中子部材の表面に側方に長溝４２を設けた複数本の突条４１を設ける共に、隣り合う突条の長溝同士の間隔を平置き状態の硬貨を挟持可能な寸法に設定している。
【図面の簡単な説明】
【００１８】
【図１】この発明のカードケースの閉止状態の斜視図
【図２】同上、開放状態の斜視図
【図３】同上、左側面図
【図４】同上、右側面図
【図５】同上、平面図
【図６】同上、図５のＡ−Ａ線断面図
【図７】同上、図５のＢ−Ｂ線断面図
【図８】同上、開放状態の平面図
【図９】同上、開放状態の右側面図
【図１０】同上、使用方法を示す斜視図
【図１１】この発明のカードケースの第２実施例の開放状態の斜視図
【図１２】同上、開放状態の平面図
【符号の説明】
【００１９】
Ｗ        進入窓
Ｈ        ヒンジ
１０      上面部材
１３Ａ    スロープ
１４Ａ    スロープ
１５      カード保持部
１６      カード保持部
２０      中子部材
３０      下面部材
【図１】
2005219752.tif 000003
【図２】
2005219752.tif 000004
【図３】
2005219752.tif 000005
【図４】
2005219752.tif 000006
【図５】
2005219752.tif 000007
【図６】
2005219752.tif 000008
【図７】
2005219752.tif 000009
【図８】
2005219752.tif 000010
【図９】
2005219752.tif 000011
【図１０】
2005219752.tif 000012
【図１１】
2005219752.tif 000013
【図１２】
2005219752.tif 000014